(57)【特許請求の範囲】
【請求項１】
取付孔が貫通して形成されたパネルと、
前記パネルの前記取付孔内に嵌め付けられ、かつ複数の分割部材で構成され、内側にワイヤハーネスを配置した状態でこのワイヤハーネスの周りを包囲するように前記各分割部材を連結させてなる環状連結部材と、
前記環状連結部材を外側から包み込むとともに、両端部が前記ワイヤハーネスに固定され、さらに前記環状連結部材が前記パネルに嵌め付けられた状態では、前記環状連結部材と前記パネルとの間に挟持される被覆部材とを備え、
前記被覆部材は、シート状の部材であり、前記ワイヤハーネスを包囲した前記環状連結部材に対し展延して被せ付けられることを特徴とするワイヤハーネス保持構造。
【請求項２】
前記環状連結部材には、前記パネルに係止可能なロック部が一体に形成され、前記ロック部の外面には凹所が形成され、前記ロック部の係止時、前記凹所に前記パネルの前記取付孔の孔縁が進入することにより、前記被覆部材が前記ロック部と前記パネルとの間にクランク状に挟持されることを特徴とする請求項１記載のワイヤハーネス保持構造。
【請求項３】
前記環状連結部材をパネルに係止するためのロック部材が前記環状連結部材とは別体として形成され、前記環状連結部材が前記パネルに嵌め付けられた状態では、前記ロック部材が前記被覆部材を外側から覆うように装着されることを特徴とする請求項１記載のワイヤハーネス保持構造。
【発明の詳細な説明】
【技術分野】
【０００１】
本発明は、ワイヤハーネス保持構造に関する。
【背景技術】
【０００２】
従来のワイヤハーネス保持構造が特許文献１に開示されている。このものは、厚肉のグロメットと、グロメットを挿入して取付可能な取付孔が形成されたダッシュパネルとを備えている。グロメットにはワイヤハーネスを密着状態で挿通可能なハーネス挿通孔が形成され、ワイヤハーネスはグロメットを介してダッシュパネルに保持されるようになっている。
【先行技術文献】
【特許文献】
【０００３】
【特許文献１】特開２０００−２０３３５５号公報
【発明の概要】
【発明が解決しようとする課題】
【０００４】
上記の場合、一般的に、ハーネス挿通孔の孔径を押し広げることでグロメットを拡張させ、その状態でハーネス挿通孔にワイヤハーネスを挿通するようにしている。このため、グロメットを拡張させる際の作業負担が大きいという問題がある。また、グロメットの拡張寸法が許容限度を超え、それ以上の作業が実質的に不能になることもある。
【０００５】
本発明は上記のような事情に基づいて完成されたものであって、ワイヤハーネスを組み付ける際の作業性を改善することを目的とする。
【課題を解決するための手段】
【０００６】
上記の目的を達成するための手段として、請求項１の発明は、取付孔が貫通して形成されたパネルと、前記パネルの前記取付孔内に嵌め付けられ、かつ複数の分割部材で構成され、内側にワイヤハーネスを配置した状態でこのワイヤハーネスの周りを包囲するように前記各分割部材を連結させてなる環状連結部材と、前記環状連結部材を外側から包み込むとともに、両端部が前記ワイヤハーネスに固定され、さらに前記環状連結部材が前記パネルに嵌め付けられた状態では、前記環状連結部材と前記パネルとの間に挟持される被覆部材とを備え、前記被覆部材は、シート状の部材であり、前記ワイヤハーネスを包囲した前記環状連結部材に対し展延して被せ付けられるところに特徴を有する。
【０００７】
請求項２の発明は、請求項１に記載のものにおいて、前記環状連結部材には、前記パネルに係止可能なロック部が一体に形成され、前記ロック部の外面には凹所が形成され、前記ロック部の係止時、前記凹所に前記パネルの前記取付孔の孔縁が進入することにより、前記被覆部材が前記ロック部と前記パネルとの間にクランク状に挟持されるところに特徴を有する。
【０００８】
請求項３の発明は、請求項１に記載のものにおいて、前記環状連結部材をパネルに係止するためのロック部材が前記環状連結部材とは別体として形成され、前記環状連結部材が前記パネルに嵌め付けられた状態では、前記ロック部材が前記被覆部材を外側から覆うように装着されるところに特徴を有する。
【発明の効果】
【０００９】
＜請求項１の発明＞
ワイヤハーネスを保持するに際し、まずワイヤハーネスの周りを包囲するように複数の分割部材を連結させて、環状連結部材を形成する。次いで、環状連結部材を外側から包み込むように被覆部材を被せ付け、さらに被覆部材の両端をワイヤハーネスに固定させる。その後、被覆部材が被着された環状連結部材をパネルに嵌め付ける。すると、被覆部材が環状連結部材とパネルとの間に挟持される。したがって、本発明によれば、グロメットにワイヤハーネスを挿通させる等といった面倒な作業が不要とされ、ワイヤハーネスを組み付ける際の作業性が改善される。
【００１０】
＜請求項２の発明＞
ロック部の係止時、凹所にパネルの取付孔の孔縁が進入することにより、被覆部材がロック部とパネルとの間にクランク状に挟持されるため、環状連結部材に対して被覆部材が位置ずれするのが防止される。
【００１１】
＜請求項３の発明＞
環状連結部材がパネルに嵌め付けられた状態では、ロック部材が被覆部材を外側から覆うように装着されるため、ロック部材がパネルを直接係止でき、ロック部材の保持力を高く確保できる。
【図面の簡単な説明】
【００１２】
【図１】本発明の実施形態１に係るワイヤハーネス保持構造の断面図である。
【図２】ワイヤハーネスの周りを包囲する環状連結部材の斜視図である。
【図３】ワイヤハーネス保持構造の斜視図である。
【図４】成型後の被覆部材の斜視図である。
【図５】実施形態２に係るワイヤハーネス保持構造の断面図である。
【図６】ワイヤハーネスの周りを包囲する環状連結部材の斜視図である。
【図７】ロック部材を組み付ける直前のワイヤハーネス保持構造の斜視図である。
【図８】ワイヤハーネス保持構造の斜視図である。
【図９】ワイヤハーネス保持構造の正面図である。
【発明を実施するための形態】
【００１３】
＜実施形態１＞
本発明の実施形態１を図１ないし図４によって説明する。本実施形態に係るワイヤハーネス保持構造１０は、自動車のエンジンルームと車室との間を仕切るダッシュパネル（以下、単にパネル２０という）にワイヤハーネス９０を保持するための構造を例示するものであって、環状連結部材３０と被覆部材６０とを備えている。
【００１４】
パネル２０には円形の取付孔２１が形成され、図１に示すように、取付孔２１の孔縁には、鍔状の張出部２２が後方（図１における向かって左側）へ屈曲して形成されている。
【００１５】
環状連結部材３０は合成樹脂製であって、図２に示すように、一対の分割部材３１により構成されている。両分割部材３１のそれぞれは、半円弧状をなし、その両端に連結手段（図示せず）が形成されている。両分割部材３１が連結手段を介して互いに連結されることにより、円筒状の環状連結部材３０が形成されるようになっている。なお、環状連結部材３０の内径は、ワイヤハーネス９０の外径よりも大きくされている。
【００１６】
そして、環状連結部材３０は、円環板状のフランジ部３２と、フランジ部３２の前面内端から前方へ突出する筒状のロック部３３とを有している。ロック部３３の前端部には、ロック突部３４が外向きに突出して形成されている。図１に示すように、ロック突部３４の外面は、前方へ行くに従って縮径する斜面３５とされている。斜面３５の内端の径寸法は取付孔２１の孔径よりも小さく、ロック突部３４の外端の径寸法は取付孔２１の孔径よりも大きくされている。そして、環状連結部材３０の外面には、フランジ部３２の前面、ロック部３３の外面、及びロック突部３４の後面で囲まれてなる円環溝状の凹所３６が形成されている。凹所３６内には、被覆部材６０を挟んで張出部２２が嵌合可能とされている。
【００１７】
被覆部材６０は、例えば、ＥＰＤＭゴム等のエラストマー材料からなるシート状の部材として構成される。そして、被覆部材６０は、柔軟性及び可撓性を有し、環状連結部材３０の全体を外側から被覆し、かつその前後両端部がワイヤハーネス９０に固定可能とされている。本実施形態の場合、被覆部材６０は、図４に示すように、長さ方向の全長に亘って延びるスリット６１が形成された長尺の円筒状に押出成型されるか、あるいは方形のシート材を円筒状に丸めて成型されるようになっている。
【００１８】
次に、ワイヤハーネス保持構造１０の組立方法について説明する。
パネル２０の取付孔２１にワイヤハーネス９０を遊挿させ、次いで、図２に示すように、ワイヤハーネス９０を内側に配置した状態で、このワイヤハーネス９０の周りを包囲するように一対の分割部材３１を連結させ、これによって環状連結部材３０を形成する。次いで、図３に示すように、環状連結部材３０に被覆部材６０を展延させつつ外側から被せ付け、被覆部材６０で環状連結部材３０の全体を外側から包み込む。そして、ワイヤハーネス９０の外周面に被覆部材６０の前後両端部を密着させ、その状態で被覆部材６０の前後両端部に外側からテープ７０を巻き付けて、被覆部材６０をワイヤハーネス９０に固定する。この場合、被覆部材６０は、フランジ部３２の外端を頂部としてそこからワイヤハーネス９０に向かって縮径する略円錐状に緊張される。これにより、ワイヤハーネス９０が被覆部材６０を介して環状連結部材３０に遊嵌状態で中空支持される。図示するワイヤハーネス９０は、環状連結部材３０内の中心軸に沿って配索されるようになっている。
【００１９】
そして、パネル２０の取付孔２１内に後方から上記被覆部材６０で包み込まれた環状連結部材３０を挿入する。挿入の過程では、ロック部３３の斜面３５がパネル２０の取付孔２１の開口縁に沿って押圧され、ロック部３３が内側へ弾性的に撓み変形させられる。図１に示すように、環状連結部材３０がパネル２０の取付孔２１内に正規挿入されると、ロック部３３が弾性復帰して、ロック部３３の凹所３６に張出部２２が進入する。すると、被覆部材６０が、張出部２２によって凹所３６の底面に押圧され、かつ凹所３６の内面に沿ってロック部３３とパネル２０との間にクランク状に挟持される。これにより、環状連結部材３０が被覆部材６０を介してパネル２０の取付孔２１内に嵌め付けられ、ひいてはワイヤハーネス９０がパネル２０に位置決めして保持される。
【００２０】
以上説明したように、本実施形態によれば、従来と違って、グロメットにワイヤハーネスを挿通させる等といった面倒な作業が不要とされ、ワイヤハーネス９０を組み付ける際の作業性が改善される。
【００２１】
また、被覆部材６０がロック部３３とパネル２０との間にクランク状に挟持されるため、環状連結部材３０に対して被覆部材６０が位置ずれするのが防止される。さらに、図１に示すように、ワイヤハーネス保持構造１０の被覆部材６０内に比較的大きな空気層５０が形成されるため、振動時のがた付き音等を遮音することも可能となる。
【００２２】
＜実施形態２＞
本発明の実施形態２を図５ないし図９によって説明する。実施形態２に係るワイヤハーネス保持構造１０Ａでは、環状部材とは別体のロック部材８０を備える点で実施形態１とは異なるが、パネル２０及び被覆部材６０の形態は実施形態１と同様である。
【００２３】
環状連結部材３０Ａは、図６に示すように、実施形態１と同様、一対の分割部材３１Ａにより構成されている。そして、環状連結部材３０Ａは、円環板状のフランジ部３２Ａと、フランジ部３２Ａの前面内端から前方へ突出する切欠筒状のロック受け部３９とを有している。フランジ部３２Ａの外周縁には、リブ３８が前方へ張り出して形成されている。ロック受け部３９には、周方向に間隔をあけて複数の逃がし溝３７が形成されている。また、ロック受け部３９の先端部には、抜止部４１が外向きに突出して形成されている。
【００２４】
ロック部材８０は合成樹脂製であって、図７及び図８に示すように、全体として円筒状をなし、被覆部材６０を介してロック受け部３９に外側から装着される。ロック部材８０には、周方向に間隔をあけて複数のロックアーム８１が形成されている。ロックアーム８１は、ロック部材８０に形成された複数のスリット８２間にて撓み変形可能に配置されている。具体的にはロックアーム８１は、ロック部材８０の前端部から後方へ向けて突出する片持ち梁状をなし、ロック部材８０の前後範囲内に形成されている。ロックアーム８１の外面には、ロック突起８３が外向きに突出して形成されている。そして、ロック突起８３の外面には、図５に示すように、ロック部材８０の前端から後方へ向けて拡径する斜面８４が形成されている。なお、ロック部材８０も、環状連結部材３０Ａと同様、２ピースに分割可能とされている。
【００２５】
ワイヤハーネス保持構造１０Ａの組み立てに際し、ワイヤハーネス９０を内側に配置した状態で、ワイヤハーネス９０の周りを包囲するように一対の分割部材３１Ａを連結させ、環状連結部材３０Ａを形成する。次いで、図７に示すように、被覆部材６０で環状連結部材３０Ａを外側から包み込み、かつワイヤハーネス９０の外周面に被覆部材６０の両端部をテープ７０で巻き付けて固定する。ここまでは、実施形態１と同様である。
【００２６】
続いて、図７から図８にかけて示すように、上記被覆部材６０で包み込まれた環状連結部材３０Ａに前方からロック部材８０を組み付ける。すると、ロック部材８０が被覆部材６０を挟んでロック受け部３９の外側に装着される。この場合、図９に示すように、ロックアーム８１と対応する位置に逃がし溝３７が配置され、撓み変形するロックアーム８１が逃がし溝３７に進入可能とされている。なお、図５に示すように、ロック部材８０は、抜止部４１によって前方への抜けが規制される。図８に示すように、こうして環状連結部材３０Ａの外側を覆うように被覆部材６０が装着され、さらに被覆部材６０の外側を覆うようにロック部材８０が装着されてなるユニット１００が形成される。
【００２７】
次いで、パネル２０の取付孔２１内に上記ユニット１００を後方から挿入する。挿入の過程では、ロックアーム８１の斜面８４が取付孔２１の内面を摺動してロックアーム８１が内向きに撓み変形させられる。環状連結部材３０Ａがパネル２０の取付孔２１内に正規挿入されると、図５に示すように、ロックアーム８１が弾性復帰して、ロック突起８３がパネル２０の取付孔２１の開口縁に前方から当接可能に配置される。このとき、被覆部材６０は、張出部２２の先端でフランジ部３２Ａ側へ押圧された状態で、フランジ部３２Ａとパネル２０との間に屈曲状態で挟持される。また、パネル２０がフランジ部３２Ａとロック突起８３との間に挟持されることにより、ユニット１００がパネル２０に取り付けられて固定される。
【００２８】
このように実施形態２によれば、環状連結部材３０Ａがパネル２０に嵌め付けられた状態では、ロック部材８０が被覆部材６０を外側から覆うように装着されるため、ロック部材８０が被覆部材６０を介さずにパネル２０を直接係止でき、ロック部材８０の保持力を高く確保できる。
【００２９】
＜他の実施形態＞
本発明は上記記述及び図面によって説明した実施形態に限定されるものではなく、例えば次のような実施形態も本発明の技術的範囲に含まれる。
（１）被覆部材が環状連結部材を包み込んだ状態で、環状連結部材の一部が外部に露出して配置されるものであってもよい。
（２）被覆部材として、シート材より薄いポリマーフィルム等のフィルム材を用いることも可能である。
（３）被覆部材として、シート材より厚いゴム製の部材を用いることも可能である。
（４）環状連結部材が３ピース以上の分割部材を連結してなるものであってもよい。
（５）本発明は、上記実施形態に限らず、パネルの取付孔内にワイヤハーネス（電線が１本のみも含）を挿通して保持させる構造を有するものに広く適用可能である。
【符号の説明】
【００３０】
１０、１０Ａ…ワイヤハーネス保持構造
２０…パネル
２１…取付孔
３０、３０Ａ…環状連結部材
３１、３１Ａ…分割部材
３２…フランジ部
３３…ロック部
３６…凹所
６０…被覆部材
８０…ロック部材
９０…ワイヤハーネス
【図１】
0005691647.tif 000002
【図２】
0005691647.tif 000003
【図３】
0005691647.tif 000004
【図４】
0005691647.tif 000005
【図５】
0005691647.tif 000006
【図６】
0005691647.tif 000007
【図７】
0005691647.tif 000008
【図８】
0005691647.tif 000009
【図９】
0005691647.tif 000010